(57)【特許請求の範囲】
【請求項１】
既存の各種屋根を改修すると共に融雪機能を備える改修屋根のケラバ部において、既存屋根のケラバ材を撤去した後に、垂木、野地板等からなる屋根下地の最外端に、内部に流れ方向と平行でケーブルを格納するための空洞を形成し屋根側面の任意箇所にリード線を通過させる孔を設けたケーブルカバー材と、該ケーブルカバー材内の空洞に配設され、リード線と接続するための分岐線を有するケーブルと、既存屋根上に流れ方向と平行に所定の間隔を有して取り付けられた桟木と、幅方向の一端部を化粧面側に略Ｕ字状に屈曲して係合溝を形成すると共に、再び略コ字状に折り返して嵌合縁を形成し、他端部には裏面側に略コ字状に屈曲した段差化粧面と差込係合片とを形成した段葺き用の新規屋根材と、該段葺き用の新規屋根材の裏面側に重ね張りする長尺板状の裏打材と、長手方向の端部にリード線を備えた裏打材と屋根材との間に介在させるシート状発熱体と、前記ケーブルカバー材を外観から隠蔽するケラバ材とから構成され、前記桟木上に、長手方向の端部を前記ケーブルカバー材の屋根側面近傍に揃えて配した裏打材の上面にシート状発熱体を敷設してリード線を内側部材の孔を通過させてケーブルの分岐線に接続し、シート状発熱体の上面に新規屋根材を配して新規屋根を形成し、新規屋根材のケーブルカバー材近傍の端部およびケーブルカバー材はケラバ材によって外観から隠蔽され、またリード線と分岐線との接続はそれぞれ先端に取り付けた接続端子によって行われることを特徴とする改修融雪屋根のケラバ部構造。
【発明の詳細な説明】
【０００１】
【産業上の利用分野】
本発明は、家屋の既存屋根を改修するに伴って融雪機能を付加する際の、妻側端部におけるケラバ部の構造に係るものである。さらに詳しくは、融雪のために機能するシート状発熱体へ電流を導く導電線をケラバ部内に格納することができる改修融雪屋根のケラバ部構造に関するものである。
【０００２】
【従来の技術】
従来、降雪地方における雪降ろし作業は、肉体的に大変かつ危険を伴う作業であった。そこで、屋根に融雪機能を施す方法の１つに、特開平６−２３９９号のように屋根材の下にシート状の発熱体を設置する方法があった。
【０００３】
【発明が解決しようとする課題】
しかし、屋根の改修と同時にシート状の発熱体を施して融雪機能を備える方法がなく、従って屋根の改修に伴ってシート状の発熱体による融雪機能を施す際にシート状発熱体へ電流を導く導電線を格納するのに適した方法がなかった。
【０００４】
【課題を解決するための手段】
本発明はこの問題を解決するためのもので、新規屋根のケラバ部にケーブルカバー材で覆われたケーブルを格納するための空洞を設け、またケラバ材によってケーブルカバー材と新規の屋根材のケーブルカバー材側の端部を外観より隠蔽し、また融雪のための発熱を行うシート状発熱体に設けられたリード線と、ケーブルから分岐した分岐線のそれぞれ先端に接続端子を取り付けて、施工の際の接続を容易にしたものである。
【０００５】
【作用】
屋根改修をケラバ部におけるシート状発熱体への配線を極めて容易に行えるので施工が容易で、また美しい外観を有するケラバ部を形成するものである。
【０００６】
【実施例】
以下に図面を用いて本発明に係る改修融雪屋根のケラバ部構造について詳細に説明する。図１および図２は本発明の代表的な一例を示す説明図であり、Ｖは新規に形成されるケラバ部で、Ａは垂木Ｂと野地板Ｃ、およびアスファルトルーフィングＤからなる屋根下地、Ｅは既存屋根材、Ｆは破風板、Ｇは捨板、Ｈは下部材Ｉと外側部材Ｊと内側部材Ｋと上部材Ｌとからなるケーブルカバー材、Ｍは空洞、Ｎはケーブル、Ｏは化粧本体Ｐとケラバ覆いＱからなるケラバ材、Ｒは桟木、Ｓは裏打材、Ｔはシート状発熱体、Ｕは新規屋根材、Ｖはケラバ部、Ｗは接続端子である。
【０００７】
屋根下地Ａは垂木Ｂ、野地板Ｃ、アスファルトルーフィングＤとから構成されるもので、野地板ＣはアスファルトルーフィングＤと共に妻面近傍の垂木Ｂの外側面に合わせて、切断するものである。アスファルトルーフィングＤは、既存屋根に使用されていたものを撤去せずに、そのまま使用するものである。野地板Ｃの上に敷設された既存屋根材Ｅは撤去しても良いが、撤去することなくその上に新規屋根を形成することにより、防水性、断熱性、防音性に優れた屋根を形成することができる。
【０００８】
既存屋根材Ｅは屋根下地Ａ上に敷設された一般的な屋根材であり、図１、２においては金属の横葺屋根を示してあるが、その他にも平葺き屋根、段葺き屋根、瓦棒葺き屋根、瓦屋根、新生瓦屋根、等でもよい。
【０００９】
破風板Ｆは長尺平板で、最も妻側寄りの垂木Ｂの外面に、外方に広い平面が臨み、上面は垂木Ｂの上面と略同一平面となるように取り付けるものである。捨板Ｇは長尺平板で、破風板Ｆの上面に取り付けられ、野地板Ｃと同等の高さを有し、その上面は野地板Ｃと連続した平面を形成するものである。また、捨板Ｇは破風板Ｆの外側面より外方に突出しているものである。
【００１０】
ケーブルカバー材Ｈは、下部材Ｉ、外側部材Ｊ、内側部材Ｋ、上部材Ｌ等から構成され、内部にケーブルＮを配設するものである。ケーブルカバー材Ｈは、ケーブルＮを内部に格納して雨水との接触を妨げ、漏電や錆による劣化を防止すると共に、複数本のケーブルＮを一挙に棟部に導き、かつ棟部に設けた一箇所の孔からまとめて家屋へ導くことを可能としたことにより、施工性を向上させるものである。
【００１１】
下部材Ｉは屋根下地Ａの端部にて、野地板Ｃと捨板Ｇに跨って、外方端部を捨板Ｇの端部に揃えて取り付けられるもので、野地板Ｃとの間にアスファルトルーフィングＤ、既存屋根材Ｅの端部を介して取り付けるものである。
【００１２】
外側部材Ｊは断面長方形の長尺体で、外方面を下部材Ｉの外方端面と揃えて、下部材Ｉの上面に取り付けるものである。内側部材Ｋは形状は外側部材と同一のものを使用し、下部材Ｉの上面の内方端部近傍にてやや外側部材Ｊ寄りに取り付けるものであり、また図３に示すように、後記するシート状発熱体Ｔから延長されたリード線１３、１４を通過させるための孔１を所定箇所に必要個数、設けておくものである。
【００１３】
上部材Ｌは下部材Ｉと同一形状の部材を使用し、外方端部を外側部材Ｊの外側面と同一平面となるように取り付け、下部材Ｉ、外側部材Ｊ、内側部材Ｋと共に空洞Ｍを形成するものである。空洞Ｍは後記するシート状発熱体Ｔに電流を供給するためのケーブルＮを配設するための空間であり、図示しないがケーブルＮは棟部にて束となって家屋内に導かれ、任意の配線を施されるものである。空洞Ｍによって棟に導線を導き、一箇所にて家屋内にケーブルＮを導くことにより、ケーブルＮを家屋内に誘導する孔の穿設の作業が一回で済み、施工が容易な上、既存屋根に加える工作が少なく済むので、強度、断熱性、防水性等の劣化を防止することができる。
【００１４】
ケラバ材Ｏは、例えば図４に示されるような化粧本体Ｐとケラバ覆いＱの２部材から構成されるものである。
【００１５】
化粧本体Ｐおよびケラバ覆いＱは、後記する新規屋根材Ｕと同質の材料を形成するものであり、上部材Ｌよりも広い幅を有する化粧面２と、化粧面２の内方端を下方へ垂直に屈曲して中途から外方へ斜めに屈曲し、さらに下方端に舌片３ａを有する内部化粧面３と、化粧面２の外方端部を、裏面側へＵ字上に折り返した挟持部４とから構成される長尺体である。
【００１６】
ケラバ覆いＱは、垂直面からなる垂下面５と、垂下面５の下端を内方の斜め上方に折り返した屈曲部６と、垂下面５の上端を外方へ水平に折り返して延長した嵌挿部７とから構成される長尺体である。
【００１７】
化粧本体Ｐは上部材Ｌの上面に敷設するもので、取付けの際にケラバ覆いＱの嵌挿部７を挟持部４に挿入し、ケラバ材Ｏとして一体化して取り付け、捨板Ｇ、下部材Ｉ、外側部材Ｊ、上部材Ｌを外観から覆い隠し、ケーブルＮを雨水等から防止すると共に、外観を美しく仕上げるものである。なお、化粧本体Ｐ、ケラバ覆いＱ共に、美しい外観に仕上げることから、後記する新規屋根材Ｕと同質の材料から形成することが好ましい。
【００１８】
桟木Ｒは既存屋根材Ｅの上に、下部材Ｉと同等の高さを有する長尺体を、流れ方向と平行に所定の間隔を有して配されるものである。桟木Ｒは、裏打材Ｓを載置、固定する下地として機能すると共に、桟木Ｒ同士の間に間隙を形成し、空気の循環路として機能させるものである。
【００１９】
裏打材Ｓは図５に示すように長尺板状であり、桟木Ｒ上に多数枚敷設するものである。さらに、裏打材Ｓは新規屋根材Ｕをバックアップし、屋根上の作業、積雪のように荷重が加えられても新規屋根材Ｕの変形を防止すると共に、後記するシート状発熱体Ｔからの熱のうち、殆ど全てが融雪に寄与するように断熱し、家屋内（小屋裏等）に熱が逃げるのを防止するものである。また、夏季においては太陽によって屋根が加熱されても家屋内に熱が伝わるのを遮断し家屋内の温度の上昇を防止することにも役立つと共に、防音にも役立つものである。
【００２０】
また、裏打材Ｓの素材としてはシージングボード、シージングインシュレーションボート、プラスチックフォーム（ウレタンフォーム、ヌレートフォーム、フェノールフォーム等）、パーチクルボード、木質複合板、木毛セメント板、コンポージットパネル（コンパネ）、石膏ボード、ＡＬＣ板、等であり、断熱性を有するものである。
【００２１】
さらに説明すると、裏打材Ｓは水平方向では端面を当接すると共に、図６に示すように軒から棟方向では下段の裏打材Ｓ１  に長尺側面を重ね合わせ、階段状とすると共に屋根下地Ａとの間に三角形状の空隙βを形成するように固定するものである。この空隙βは新鮮な空気等の流通路として機能させることができ裏打材Ｓが有する断熱材、防音材、調湿材等の機能をさらに助長させると共に、結露を防止して屋根下地Ａ、後記する新規屋根材Ｕ等の腐食防止に寄与するものである。
【００２２】
シート状発熱体Ｔは図７（ａ）に示すように長方形状のシート状であり、図１、図２に示すように裏打材Ｓと新規屋根材Ｕの間に介在し、外装部に融雪に必要な熱を供給するためのものである。また、図５に示すようにシート状発熱体Ｔは裏打材Ｓの表面に接着剤（図示せず）、接着テープ８、ステープラ９等の諸手段により、固定、取り付けるものである。
【００２３】
さらに、このシート状発熱体Ｔは図７（ａ）および、７（ａ）のイ−イ線断面図に該当する図７（ｂ）に示すように、帯状で発熱部分となるシート１０と、シート１０の長手方向両端に形成したケーブル１１、１２と、幅方向一端に形成し、ケーブル１１、１２と連結されたリード線１３、１４と、これらを被覆する上下の絶縁シート１５、１６と、リード線１３、１４の先端に取り付けた雄型ピン端子Ｘとから形成したものである。
【００２４】
シート１０は、適度な電気抵抗を有し、通電すると発熱現象を起こす組成であれば特に指定されるものではないが、その組成としては、例えば炭素繊維を合成樹脂等でバインダしたものや混入したもの、パルプ繊維とカーボンファイバー、カーボン粒子、金属粉末等を粘材により合成したものを使用するもので、カーボンファイバー同士は互いに重なり合うように混入されるので、シート状発熱体Ｔの一部分が万一破壊、切断しても、他の部分の発熱には全く影響がでないものである。シート１０はリード線１３、１４を介してケーブル１１、１２に電気が導かれると発熱するものである。
【００２５】
絶縁シート１５、１６は塩ビフィルム、フッ素樹脂フィルム、アクリルフィルム等からなり、ラミネート加工を行うことによって、表面保護と防水、電気的絶縁等の効果を発揮するものである。また、リード線１３、１４は内側部材Ｋの孔１を通過してケーブルＮに接続され、導電性である組成物の抵抗によりシート状発熱体Ｔ全体が発熱し、熱が外装部の新規屋根材Ｕに伝達され、融雪が行われることになる。
【００２６】
雄型ピン端子Ｘは、後記する雌型ピン端子Ｙと共に使用されるもので、ケーブル１３、１４の先端に施工前に予め取り付けられ、施工性の向上に有効なものである。
【００２７】
図８（ａ）、（ｂ）は外装部を構成する段葺き状の新規屋根材Ｕを示す斜視図であり、新規屋根材Ｕは金属板（カラー鋼板、銅板、アルミニウム板、チタン板、ステンレス板、サンドイッチ鋼板、クラッド鋼板等）をロール成形、プレス成形、押出成形等によって形成したものである。
【００２８】
さらに説明すると、新規屋根材Ｕは長尺板状であり、その幅方向一端部を化粧面１７の下側、すなわち、裏面１８側に略コ字状に屈曲して段差化粧面１９と差込縁２０とを形成した雄型連結部２２としたもので、化粧面１７と段差化粧面１９と差込縁２０とから略コ字状の引っかけ溝２１形成したものである。
【００２９】
また、化粧面１７の他端には化粧面１７の上側に屈曲して断面略Ｕ字状に形成した前記差込縁２０と嵌合する嵌合溝２３と、嵌合溝２３の先端をコ字状に折り返した嵌合縁２４と、嵌合縁２４の先端を下方に屈曲すると共に化粧面１７と略平行で外方にＬ字状に屈曲して延長した固定片２５を形成した雌型連結部２６を形成したものである。
【００３０】
さらに、化粧面１７の長手方向の両側端縁をそれぞれ裏面１８側にハゼ状に屈曲した連結片２７を形成したものである。連結片２７は、図示しない継手材を介して相隣る新規屋根材Ｕ同士を連結する際の係止部となるものである。なお、図８（ａ）では長手方向の強度の強化と、外部からの雨水等が毛細管現象により内部に浸入することを防止する意味で嵌合溝２３と差込縁２０に凹条２８、凹条２９を形成している。
【００３１】
図９は、ケラバ部Ｖに隣接する箇所に使用する新規屋根材Ｕ３  の成形例を示すものである。すなわち新規屋根材Ｕ３  は、化粧面１７のケラバ部Ｖ側の端部を任意の幅で垂直上方に折り返し、雄型連結部２２の折り返し線３１の延長線より外方に位置する部分は切断して削除し、また雌型連結部２６の折り返し線３１の延長線より外方に位置する部分は、折り返し線３１の延長線上に切り込みを入れて雌型連結部２６の形状を平面状に修正した後、余剰部分を雨返し片３０と重ねるように折り返すものである。
【００３２】
雨返し片３０はケラバ部Ｖの上部材Ｌの内方端部より内方に位置し、かつ内側部材Ｋのと接触させるものであり、ケラバ部Ｖへの雨水の浸入を防止すると共に、内側部材Ｋが外観に露出しないようにして、外観を向上させるものである。
【００３３】
図１０（ａ）、（ｂ）はケーブルＮと、ケーブルＮから分岐してシート状発熱体Ｔのリード線１３、１４と接続する分岐線３４とを結合する接続子３２と、その結合状態を示す説明図である。接続子３２は絶縁体からなり、図１０（ａ）に示すように、ケーブルＮよりやや大きい直径を有する筒に、分岐線を通過させる孔３３を設けたものであり、接続子３２内でケーブルＮと分岐線３４の導線を接触させ、接続子３２に押圧を加えて変形させることにより、強固な接続にするものである。ケーブルＮと分岐線３４の結合は、施工前に予め完了しておくことにより、施工性を向上させることができる。
【００３４】
分岐線３４の先端には雌型ピン端子Ｙが取り付けられ、シート状発熱体Ｔのリード線１３、１４の先端に取り付けられた雄型ピン端子Ｘと係合するものであり、施工の際の配線を極めて容易にし、工期の短縮に有効なものである。雄型ピン端子Ｘと雌型ピン端子Ｙが結合した接続端子Ｗは、接続後は内側部材Ｋの孔１内に位置するものである。
【００３５】
ここで、本発明に係る改修融雪屋根のケラバ部構造についての施工例を簡単に説明する。まず、既存のケラバを撤去し、野地板Ｃの端部を最外部の垂木Ｂの外面に合わせて切断する。
【００３６】
次に、図１１に示すように、桟木Ｒを所定間隔で流れ方向と平行に取り付ける。また、最外部の垂木Ｂの外側面に、上面が同一平面になるように揃えて破風板Ｆを固定する。そして破風板Ｆの上面に、捨板Ｇを固定するが、捨板Ｇと野地板Ｃはその上面において、略同一平面を形成するものである。
【００３７】
次に、図１２に示すように、下部材Ｉを野地板Ｃと捨板Ｇに跨って、その外面を捨板Ｇの外面に合わせて取り付け、さらに外側部材Ｊを、その外面を下部材Ｉの外面に合わせて取り付ける。さらに、下部材Ｉの内方端部の近傍に、予め孔１を穿設しておいた内側部材Ｋを、外側部材Ｊと所定の間隔を有して、かつ平行に固定する。次に、分岐線３４を有するケーブルＮを下部材Ｉ、外側部材Ｊ、内側部材Ｋから形成された溝内に配し、先端に雌型ピン端子Ｙを擁した分岐線３４は孔１を通過させる。
【００３８】
次に、図１３、図１４および図６に示すように、桟木Ｒ上に下段の裏打材Ｓ１  を敷設する。次に、下段に位置する裏打材Ｓ１  の上面にシート状発熱体Ｔを任意箇所に敷設し、リード線１３、１４の先端の雄型ピン端子Ｘを雌型ピン端子Ｙに接続し、孔１内に格納する。なお、図１４では、新規屋根材Ｕを点線で示してある。
【００３９】
そして、シート状発熱体Ｔ上から下段の新規屋根材Ｕ１  を載置し、固定片２５に固定具αを打設し新規屋根材Ｕ１  を固定する。そして新規屋根材Ｕ１  の固定片２５の上に上段の裏打材Ｓ２  の下端部を載置して、さらにシート状発熱体Ｔを載置、リード線１３、１４と分岐線３４との接続を接続端子Ｗにて行い、下段の新規屋根材Ｕ１  の嵌合溝２３内に上段の新規屋根材Ｕ２  の差込縁２０を嵌合、係止し、上段の裏打材Ｓ２  上に上段の新規屋根材Ｕ２  を載置する。
【００４０】
このように、軒方向から棟方向へ一段毎葺成することにより、図６に示すように既存屋根材Ｅと裏打材Ｓとの間に縦断面略三角形状の空隙βが形成される。この空隙βは新鮮な空気等の流通路として機能させることができ裏打材Ｓが有する断熱材、防音材、調湿材等の機能をさらに助長させると共に、結露を防止して屋根下地Ａ、新規屋根材Ｕ等の腐食防止に寄与するものである。また、図６において△Ｔは裏打材２同士の重なりしろであり、浸入した雨水の逆流を防止し、十分な防水効果を発揮させるさめには△Ｔは長ければ長い程良く、好ましくは△Ｔ＝５０〜６０ｍｍ程度である。
【００４１】
なお、ケーブルＮは何本でも良いが、シート状発熱体Ｔの範囲、部位によってリード線１３、１４を接続するケーブルＮを区別し、家屋内に設けた制御盤にて通電するケーブルＮを指定することにより、融雪を行う範囲を任意に調節することができる。また、新規屋根材Ｕの妻側端部は図９に示すように成形したものを使用し、取り付ける際は内側部材Ｋと密着させるものである。
【００４２】
次に、外側部材Ｊと内側部材Ｋの上面に上部材Ｌを載置して、ケーブルＮを格納した空洞Ｍを形成し、化粧本体Ｐの上面に、挟持部４にてケラバ覆いＱの嵌挿部７と係合したケラバ材を取り付け、図１、図２に示されるように仕上げるものである。なお、図示しないが、破風板Ｆ、捨板Ｇ、下部材Ｉ、外側部材Ｊ、内側部材Ｋ、上部材Ｌ、および化粧本体Ｐ、ケラバ覆いＱの固定には、釘等の固定具αを使用するものである。
【００４３】
以上説明したのは、本発明に係る改修融雪屋根のケラバ部構造の一実施例にすぎず、図１５に示すように既存屋根材Ｅの表面に、桟木Ｒと同等の高さに、合成樹脂発泡体よりなるボード、あるいは現場発泡型の合成樹脂発泡体からなる断熱材３５を施して、断熱性を更に向上させることができる。
【００４４】
【発明の効果】
以上説明したように、本発明に係る改修融雪屋根のケラバ部構造によれば、▲１▼ケラバ部内にケーブルを隠蔽したので、外観が良く、施工性に優れる。▲２▼ケーブルは棟部の一箇所で家屋内に導かれるので、施工が容易で、屋根の強度、断熱性、防音性等を劣化させない。▲３▼裏打材と外装部の間にシート状発熱体を介在したので、面発熱シートからもたらされる熱が裏打材の形成により家内部方向へ放散することがなく、殆どを融雪のための熱源として使用することができ効率が良い。▲４▼シート状発熱体にカーボンファイバーを混入して形成した場合、シート状発熱体の一部分が破壊、切断されても、他の部分の発熱には全く影響がでない。▲５▼ケラバ部全体が大きく形成されるので、重量感のある外観を有する新規屋根となる。▲６▼施工の際の配線の加工はピン端子を差し込んで固定するだけなので、施工が極めて容易で、メンテナンス作業も容易である。等の特徴、効果がある。
【図面の簡単な説明】
【図１】本発明に係る改修融雪屋根のケラバ部構造の代表的一例を示す説明図である。
【図２】本発明に係る改修融雪屋根のケラバ部構造の代表的一例を示す断面図である。
【図３】内側部材の説明図である。
【図４】ケラバ材を構成する化粧本体とケラバ覆いの説明図である。
【図５】裏打材とシート状発熱体の例を示す斜視図である。
【図６】新規屋根材同士の縦方向の接続部を示す拡大図である。
【図７】シート状発熱体の説明図である。
【図８】新規屋根材の説明図である。
【図９】ケラバ部近傍で使用する新規屋根材の説明図である。
【図１０】ケーブルと分岐線の接続部を示す説明図である。
【図１１】本発明の改修融雪屋根のケラバ部構造の施工例を示す説明図である。
【図１２】本発明の改修融雪屋根のケラバ部構造の施工例を示す説明図である。
【図１３】本発明の改修融雪屋根のケラバ部構造の施工例を示す説明図である。
【図１４】本発明の改修融雪屋根のケラバ部構造の施工例を示す説明図である。
【図１５】本発明の改修融雪屋根のケラバ部構造のその他の例を示す説明図である。
【符号の説明】
α  固定具
β  空隙
Ａ  屋根下地
Ｂ  垂木
Ｃ  野地板
Ｄ  アスファルトルーフィング
Ｅ  既存屋根材
Ｆ  破風板
Ｇ  捨板
Ｈ  ケーブルカバー材
Ｉ  下部材
Ｊ  外側部材
Ｋ  内側部材
Ｌ  上部材
Ｍ  空洞
Ｎ  ケーブル
Ｏ  ケラバ材
Ｐ  化粧本体
Ｑ  ケラバ覆い
Ｒ  桟木
Ｓ  裏打材
Ｔ  シート状発熱体
Ｕ  新規屋根材
Ｖ  ケラバ部
Ｗ  接続端子
Ｘ  雄型ピン端子
Ｙ  雌型ピン端子
１  孔
２  化粧面
３  内部化粧面
３ａ  舌片
４  挟持部
５  垂下面
６  屈曲部
７  嵌挿部
８  接着テープ
９  ステープラ
１０  シート
１１  ケーブル
１２  ケーブル
１３  リード線
１４  リード線
１５  絶縁シート
１６  絶縁シート
１７  化粧面
１８  裏面
１９  段差化粧面
２０  差込縁
２１  引っかけ溝
２２  雄型連結部
２３  嵌合溝
２４  嵌合縁
２５  固定片
２６  雌型連結部
２７  連結片
２８  凹条
２９  凹条
３０  雨返し片
３１  折り返し線
３２  接続子
３３  孔
３４  分岐線
３５  断熱材
【図１】
0003567547.tif 000002
【図２】
0003567547.tif 000003
【図３】
0003567547.tif 000004
【図４】
0003567547.tif 000005
【図５】
0003567547.tif 000006
【図６】
0003567547.tif 000007
【図７】
0003567547.tif 000008
【図８】
0003567547.tif 000009
【図９】
0003567547.tif 000010
【図１０】
0003567547.tif 000011
【図１１】
0003567547.tif 000012
【図１２】
0003567547.tif 000013
【図１３】
0003567547.tif 000014
【図１４】
0003567547.tif 000015
【図１５】
0003567547.tif 000016